(57)【要約】【課題】柱または脚の台への取付作業性及び三角の脚への取付作業性を改善する。また、取付後における三角の脚からの脱落を効果的に防止する。【解決手段】連結具４０において、台１０の下面に取り付けた複数本の脚３０の各々の上下方向中間部に対向する位置に、それぞれ、前記中間部に向かってその内部に至るまで延びる長さの突部４１を設け、各脚３０の上下方向中間部に、連結具４０の突部４１に対応する形状をなし、突部４１を嵌め込んで保持自在な保持凹部４３４と、保持凹部４３４の下端に連続して下方に延び、かつ、下方に向かって深さが浅くなるよう傾斜する案内凹部４３５とを形成した。【選択図】図１
2005327749.tif 000002
【特許請求の範囲】
【請求項１】
火袋を支持する台の下面側に複数本の脚を取り付け、前記複数本の脚により前記台を支持すると共に、前記複数本の脚を連結具により互いに連結する提灯であって、
前記連結具において、前記台の下面に取り付けた複数本の脚の各々の上下方向中間部に対向する位置に、それぞれ、前記中間部に向かってその内部に至るまで延びる長さの突部を設け、
前記各脚の上下方向中間部に、前記連結具の突部に対応する形状をなし、前記突部を嵌め込んで保持自在な保持凹部と、前記保持凹部の下端に連続して下方に延び、かつ、下方に向かって深さが浅くなるよう傾斜する案内凹部とを形成したことを特徴とする提灯。
【請求項２】
前記台の下面に脚を上下に延びるよう取り付けるための凹部を形成し、
前記脚の上端に前記台の凹部に対応する形状の突部を一体形成すると共に、前記突部の水平方向略中央に上下に延びる割溝を形成し、
前記脚の突部を前記台の凹部内に嵌め込むことにより、前記台の下面側に前記脚を取り付けることを特徴とする請求項１記載の提灯。
【請求項３】
前記割溝を前記台の略周方向及び前記台の略中心から外側に向かう方向のいずれかに沿って延びるよう前記突部に形成したことを特徴とする請求項２記載の提灯。
【請求項４】
前記台の下面に脚を上下に延びるよう取り付けるための凹部を形成すると共に、前記凹部を、前記台の下面から上方に延びる第１の凹部と、前記第１の凹部より小さい寸法で第１の凹部に連続して更に上方に延び、第１の凹部との間に段差を形成する第２の凹部とから構成し、
前記台の凹部に嵌め込む突部を前記脚の上端に一体形成すると共に、前記突部を、前記脚の上端に一体形成され、前記第１の凹部に対応する形状で上方に延びる第１の突部と、前記第１の突部の上端に一体形成され、第１の突部より小さい寸法で第１の突部に連続して更に上方に延び、第１の突部との間に段差を形成する第２の突部とから構成し、
前記脚の突部を前記台の凹部内に嵌め込むことにより、前記台の下面側に前記脚を取り付けることを特徴とする請求項１記載の提灯。
【請求項５】
前記台における前記脚の取付位置に、前記台の下面から上方へと前記台の厚さ方向の途中まで延びると共に、正円形以外の水平断面形状を有する凹部を形成し、
前記台における前記脚の取付位置に、前記凹部より小さい平面方向の寸法で前記凹部に連続して、前記台の上面側に露出する位置まで前記台の厚さ方向に貫通して延びる貫通孔を形成し、
前記脚の上端に、前記台の凹部に対応する形状で上方に延び、前記台の凹部に密接して嵌め込み自在な突部を一体形成し、
前記脚の突部の上端に、前記突部より小さい平面方向の寸法で、かつ、前記台の貫通孔より長い寸法で上方に延びる雄螺子を一体的に設け、
前記脚の突部を前記台の凹部内に嵌め込むと共に、前記脚の雄螺子を前記台の貫通孔に挿入し、前記台の貫通孔より露出した前記雄螺子の上端部に雌螺子を螺合することにより、前記台の下面側に前記脚を取り付けることを特徴とする請求項１記載の提灯。
【発明の詳細な説明】
【技術分野】
【０００１】
本発明は、提灯に関するものであり、特に、円盤状の台の上面側に柱を立て、下面側に脚を取り付けると共に、それらの脚を連結具により互いに連結する自立式の提灯に好適に適用することができる。
【背景技術】
【０００２】
一般に、提灯には、吊り下げ式の提灯、自立式の提灯等がある。このうち、自立式の提灯としては、台の上面側に２本の柱を取り付け、台と柱の上端部との間で火袋を展開して支持するものがある。また、この提灯は、台の下面側に３本の脚を取り付け、前記脚により台を支持すると共に、３本の脚を三角と呼ばれる連結具により互いに連結する。前記提灯では、柱の下端及び脚の上端に、それぞれ、直方体状の突部を設けると共に、台の上面及び下面に、それぞれ、前記突部に対応する直方体状の凹部を形成している。そして、柱の突部を台の上面の凹部に、脚の突部を台の下面の凹部に、それぞれ押し込んで挿入することにより、柱及び脚を台に固定している。また、脚の内側面の上下中央付近の所定位置に、三角の先端の突部を挿入して保持するための凹部を形成している。そして、３本の脚相互の間隔を互いに広げた状態で、三角の３個の突部を、それぞれ、３本の脚の凹部に挿入し、その後、脚相互の間隔を元に戻すことにより、３本の脚を三角により連結する。
【発明の開示】
【発明が解決しようとする課題】
【０００３】
１．柱及び脚の突部並びに台の凹部の加工作業性
従来の自立式の提灯は、上記のように、柱及び脚の突部を台の凹部にそれぞれ押し込んで固定する構成のため、柱及び脚と台との間でのぐらつきをなくすため、突部の寸法を凹部の寸法より若干大きめに設定している。このとき、突部及び凹部の形状及び寸法が予定の計上及び寸法と相違すると、柱及び脚の台への取り付けが困難になったり、取り付け後に柱及び脚が台に対してぐらついたりする。よって、突部及び凹部を設定した形状及び寸法に正確に加工する必要がある。その結果、従来の提灯は、柱及び脚の突部並びに台の凹部の加工作業が面倒で、相応の時間及び労力を必要とし、突部及び凹部の加工作業性の点で改善する余地がある。
【０００４】
２．柱及び脚の台への取付作業性
また、従来の自立式の提灯は、柱及び脚の突部の寸法を台の凹部の寸法より若干大きめに設定し、突部を凹部に押し込んで固定する構成のため、柱及び脚の台への取り付け時に力を入れすぎると、突部を根元付近で破損する可能性がある。よって、柱及び脚の台への取り付けはある程度注意して行う必要がある。その結果、従来の提灯は、柱及び脚の台への取付作業に相応の時間及び労力を必要とし、かかる取付作業性の点でも改善する余地がある。
【０００５】
３．三角の脚への取付作業性
特に、従来の自立式の提灯では、３本の脚相互の間隔を互いに広げた状態で、三角の各突部を対応する脚の凹部に挿入する。通常、脚相互の間隔をできるだけ広げた方が、三角の突部を脚の凹部に挿入しやすいが、脚を台に取り付けるための突部が、中実の直方体状であり柔軟性に欠けるため、脚相互の間隔を広げすぎると、脚の突部が根元から破損する可能性がある。よって、三角の脚への取り付けはある程度注意して行う必要がある。その結果、従来の提灯は、三角の脚への取付作業に相応の時間及び労力を必要とし、かかる取付作業性の点でも改善する余地がある。
【０００６】
４．三角の脚からの脱落
また、従来の自立式の提灯は、上記のように、脚の突部が中実の直方体状であり柔軟性に欠けるため、三角の取付時に脚相互の間隔を広げたときに、脚相互の間隔が広がったままになり、三角が脚から脱落する可能性もある。その結果、従来の提灯は、三角の脚への取付後の取付安定性の点でも改善する余地がある。
【０００７】
そこで、本発明は、柱または脚の突部及び台の対応する凹部の加工作業性、柱または脚の台への取付作業性及び三角の脚への取付作業性を改善することができると共に、取付後における三角の脚からの脱落を効果的に防止することができる提灯の提供を課題とする。
【課題を解決するための手段】
【０００８】
請求項１に係る提灯は、火袋を支持する台の下面側に複数本の脚を取り付け、前記複数本の脚により前記台を支持すると共に、前記複数本の脚を連結具により互いに連結する提灯であって、前記連結具において、前記台の下面に取り付けた複数本の脚の各々の上下方向中間部に対向する位置に、それぞれ、前記中間部に向かってその内部に至るまで延びる長さの突部を設け、前記各脚の上下方向中間部に、前記連結具の突部に対応する形状をなし、前記突部を嵌め込んで保持自在な保持凹部と、前記保持凹部の下端に連続して下方に延び、かつ、下方に向かって深さが浅くなるよう傾斜する案内凹部とを形成した。
【０００９】
請求項２に係る提灯は、請求項１の構成において、前記台の下面に脚を上下に延びるよう取り付けるための凹部を形成し、前記脚の上端に前記台の凹部に対応する形状の突部を一体形成すると共に、前記突部の水平方向略中央に上下に延びる割溝を形成し、前記脚の突部を前記台の凹部内に嵌め込むことにより、前記台の下面側に前記脚を取り付ける。
【００１０】
請求項３に係る提灯は、請求項２の構成において、前記割溝を前記台の略周方向及び前記台の略中心から外側に向かう方向のいずれかに沿って延びるよう前記突部に形成した。
【００１１】
請求項４に係る提灯は、請求項１の構成において、前記台の下面に脚を上下に延びるよう取り付けるための凹部を形成すると共に、前記凹部を、前記台の下面から上方に延びる第１の凹部と、前記第１の凹部より小さい寸法で第１の凹部に連続して更に上方に延び、第１の凹部との間に段差を形成する第２の凹部とから構成し、前記台の凹部に嵌め込む突部を前記脚の上端に一体形成すると共に、前記突部を、前記脚の上端に一体形成され、前記第１の凹部に対応する形状で上方に延びる第１の突部と、前記第１の突部の上端に一体形成され、第１の突部より小さい寸法で第１の突部に連続して更に上方に延び、第１の突部との間に段差を形成する第２の突部とから構成し、前記脚の突部を前記台の凹部内に嵌め込むことにより、前記台の下面側に前記脚を取り付ける。
【００１２】
請求項５に係る提灯は、請求項１の構成において、前記台における前記脚の取付位置に、前記台の下面から上方へと前記台の厚さ方向の途中まで延びると共に、正円形以外の水平断面形状を有する凹部を形成し、前記台における前記脚の取付位置に、前記凹部より小さい平面方向の寸法で前記凹部に連続して、前記台の上面側に露出する位置まで前記台の厚さ方向に貫通して延びる貫通孔を形成し、前記脚の上端に、前記台の凹部に対応する形状で上方に延び、前記台の凹部に密接して嵌め込み自在な突部を一体形成し、前記脚の突部の上端に、前記突部より小さい平面方向の寸法で、かつ、前記台の貫通孔より長い寸法で上方に延びる雄螺子を一体的に設け、前記脚の突部を前記台の凹部内に嵌め込むと共に、前記脚の雄螺子を前記台の貫通孔に挿入し、前記台の貫通孔より露出した前記雄螺子の上端部に雌螺子を螺合することにより、前記台の下面側に前記脚を取り付ける。
【発明の効果】
【００１３】
請求項１乃至５に係る提灯は、上記のように構成したため、柱または脚の突部及び台の対応する凹部の加工作業性、柱または脚の台への取付作業性及び三角の脚への取付作業性を改善することができると共に、取付後における三角の脚からの脱落を効果的に防止することができる。
【発明を実施するための最良の形態】
【００１４】
以下、本発明の実施の形態を説明する。なお、各実施の形態を通じ、同一の部材、要素または部分には同一の符号を付して、その説明を省略する。
【００１５】
[実施の形態1]
１．対応図面
図１は本発明の実施の形態１に係る提灯の全体を示す。図２は本発明の実施の形態１に係る提灯の台の上面側を示す。図３は本発明の実施の形態１に係る提灯の台の下面側を示す。図４は本発明の実施の形態１に係る提灯の台と柱との関係を示し、台を図２のＡ−Ａ線で切断して示す。図５は本発明の実施の形態１に係る提灯の台と脚との関係を示し、台を図２のＢ−Ｂ線で切断して示す。
【００１６】
２．提灯の全体構成
図１に示すように、実施の形態１に係る提灯は、従来と同様、台１０の上面側に左右一対の柱２０を取り付け、台１０と柱２０の上端部との間で火袋１を展開して支持する。また、台１０の下面側に３本の脚３０を取り付け、前記脚３０により台１０を支持すると共に、３本の脚３０を連結具としての三角４０により互いに連結する。なお、柱の上端には手２と呼ばれる部材が左右に掛け渡して取り付けられている。また、図示はしないが、火袋１の内部において台１０の上面側には、ソケット、電球、回転筒等が取り付けられている。なお、業界では、「台」は「ツバ」と呼ばれることもある。また、「柱」は「上足」と、「脚」は「下足」と呼ばれることもある。更に、業界では、「提灯」は、「大内行灯」等の「行灯」や「灯篭」も含む意味で使用する場合がある（広義）。
【００１７】
３．台１０の構成
一方、図２及び図４に示すように、台１０は円盤状をなし、下端側にリング状のフランジ１１を外方に張り出し形成している。台１０のフランジ１１より上方の円筒状の外周面は、火袋１の下輪１ａを嵌め込んで固定するための輪止め部１２となっている。台１０の中心部には、軸方向に貫通する円形の中心孔１３が形成されている。また、台１０には、中心孔１３に隣接して、中心孔１３に連通する大径孔１４が形成されている。前記台１０の中心孔１３及び大径孔１４は、電球を支持するソケットを取り付けるために使用される。台１０の上面の左右には、それぞれ、柱２０を上方に延びるよう略垂直に立てた状態で取り付けるための上側凹部１５が形成されている。上側凹部１５は、台１０の上面から下方に延びる直方体状の底付凹部である。図３及び図５に示すように、台１０の下面の前側、右後側及び左後側には、それぞれ、脚３０を下方に延びるよう取り付けるための下側凹部１６が形成されている。下側凹部１６は、台１０の下面から上方に延びる直方体状の底付凹部である。
【００１８】
４．柱２０の構成
一方、柱２０の下端には、台１０の上側凹部１５に対応する形状の嵌合突部２１が下方に延びるよう一体形成されている。詳細には、嵌合突部２１は、上側凹部１５に対応する直方体状をなしている。嵌合突部２１の水平方向略中央には、上下に延びる割溝２２が形成されている。実施の形態１では、割溝２２は、台１０の略周方向に沿って延びるよう、嵌合突部２１の厚さ方向（図４中左右方向）の中央に形成されている。前記割溝２２は、前記台１０の略周方向に沿って延びるよう、即ち、嵌合突部２１の幅方向全体にわたって延びるよう、嵌合突部２１に形成される。また、割溝２２は、嵌合突部２１の高さと略同一高さまで、即ち、台１０の上側凹部１５の深さと略同一高さまで形成されている。柱２０の嵌合突部２１を台１０の上側凹部１５内に上方から嵌め込むことにより、台１０の上面側に柱２０を取り付けるようになっている。このとき、前記割溝２２により、嵌合突部２１は、台１０の上側凹部１５に対して台１０の放射方向（図４中左右方向）に弾性変形可能であり、台１０の上側凹部１５に弾性的に嵌め込んで密嵌状態で固定することができる。なお、嵌合突部２１の上端の厚さ方向の外周縁には面取り部を形成しても良い。この面取り部は、嵌合突部２１の台１０の上側凹部１５への挿入を容易にするためのものであり、嵌合突部２１の上端の任意の外周縁に形成することができる。
【００１９】
５．脚３０の構成
また、脚３０の上端には、台１０の下側凹部１６に対応する形状の嵌合突部３１が上方に延びるよう一体形成されている。詳細には、嵌合突部３１は、下側凹部１６に対応する直方体状をなしている。嵌合突部３１の水平方向略中央には、上下に延びる割溝３２が形成されている。実施の形態１では、割溝３２は、台１０の略周方向に沿って延びるよう、嵌合突部３１の厚さ方向（図５中左右方向）の中央に形成されている。前記割溝３２は、前記台１０の略周方向に沿って延びるよう、即ち、嵌合突部３１の幅方向全体にわたって延びるよう、嵌合突部３１に形成される。また、割溝３２は、嵌合突部３１の高さと略同一高さまで、即ち、台１０の下側凹部１６の深さと略同一高さまで形成されている。脚３０の嵌合突部３１を台１０の下側凹部１６内に下方から嵌め込むことにより、台１０の下面側に脚３０を取り付けるようになっている。このとき、前記割溝３２により、嵌合突部３１は、台１０の下側凹部１６に対して台１０の放射方向（図５中左右方向）に弾性変形可能であり、台１０の下側凹部１６に弾性的に嵌め込んで密嵌状態で固定することができる。なお、嵌合突部３１の上端の厚さ方向の外周縁には面取り部３３が形成されている。面取り部３３は、嵌合突部３１の台１０の下側凹部１６への挿入を容易にするためのものであり、嵌合突部３１の上端の任意の外周縁に形成することができる。
【００２０】
３本の脚３０の互いに対向する面（内側面）の上下中央付近の所定位置には、三角４０の先端の突部４１を挿入して保持するための保持凹部３４が、脚３０の幅方向（図５中左右方向）に延びるよう形成されている。そして、３本の脚３０相互の間隔を互いに広げた状態で、三角４０の３個の突部４１を、それぞれ、３本の脚３０の保持凹部３４に挿入し、その後、脚３０相互の間隔を元に戻すことにより、３本の脚３０を三角４０により連結するようになっている。
【００２１】
６．作用及び効果
上記のように構成した実施の形態１に係る提灯では、柱２０を台１０の上面に取り付けるときには、嵌合突部２１を台１０の上側凹部１５内に上方から嵌め込む。このとき、嵌合突部２１が上側凹部１５内に進入するにつれて、割溝２２の幅を狭めるように嵌合突部２１がその厚み（図５中の左右寸法）を小さくするよう弾性変形する。したがって、嵌合突部２１の全体を台１０の上側凹部１５に容易に進入させて嵌め込むことができ、かつ、嵌め込んだ後は、嵌合突部２１が割溝２２による弾性力により、台１０の上側凹部１５内に密嵌状態で固定される。その結果、柱２０を台１０に対して簡単かつ確実に安定して取り付けることができる。
【００２２】
同様に、脚３０を台１０の下面に取り付けるときには、嵌合突部３１を台１０の下側凹部１６内に下方から嵌め込む。このとき、嵌合突部３１が下側凹部１６内に進入するにつれて、割溝３２の幅を狭めるように嵌合突部３１がその厚み（図５中の左右寸法）を小さくするよう弾性変形する。したがって、嵌合突部３１の全体を台１０の下側凹部１６に容易に進入させて嵌め込むことができ、かつ、嵌め込んだ後は、嵌合突部３１が割溝３２による弾性力により、台１０の下側凹部１６内に密嵌状態で固定される。その結果、脚３０を台１０に対して簡単かつ確実に安定して取り付けることができる。
【００２３】
即ち、実施の形態１では、柱２０の嵌合突部２１及び脚３０の嵌合突部３１は、それぞれ、割り溝２２，３２の幅の分だけ厚みを調整（減少）可能である。したがって、加工時に、柱２０及び脚３０の嵌合突部２１，３１の厚みを台１０の上側凹部１５及び下側凹部１６の厚み（図４及び図５中の左右寸法）よりある程度（最大限、割り溝２２，３２の幅の寸法まで）大きくしても、嵌合突部２１，３１が割り溝２２，３２によりその寸法差を吸収する。よって、嵌合突部２１，３１を上側凹部１５及び下側凹部１６に容易かつ円滑に挿入することができる。なお、嵌合突部２１，３１が割溝２２，３２による弾性力により、上側凹部１５及び下側凹部１６内に密嵌状態で固定されるため、嵌合突部２１，３１の幅（図４及び図５中の紙面と直交する方向の寸法）は、上側凹部１５及び下側凹部１６の幅（台１０の放射方向の寸法）より若干小さくても良い。即ち、この場合でも、柱２０及び脚３０を台１０に対して確実に安定して取り付けることができる。その結果、柱２０及び脚３０の嵌合突部２１，３１並びに台１０の上側凹部１５及び下側凹部１６の加工作業を従来例よりも簡単に行うことができ、その加工作業性を向上することができる。
【００２４】
更に、実施の形態１では、上記のように、嵌合突部２１，３１を台１０の上側凹部１５及び下側凹部１６に楽な力で嵌め込むことができるため、柱２０及び脚３０の台１０への取り付け時に、嵌合突部２１，３１を根元付近で破損することがない。よって、柱２０及び脚３０の台１０への取り付けも簡単に行うことができ、かかる取付作業性を向上することができる。また、柱２０の取付後は、嵌合突部２１が、割溝２２を介して、台１０の上側凹部１５に対して台１０の放射方向（図４中左右方向）に弾性変形可能である。したがって、柱２０を台１０に対して放射方向に弾性的に撓ませることができ、左右一対の柱２０相互の間隔を容易に広げたり狭めたりすることができる。その結果、台１０及び柱２０への火袋１の取付作業等において、その作業性を向上することができる。
【００２５】
同様に、脚３０の取付後は、嵌合突部３１が、割溝３２を介して、台１０の下側凹部１６に対して台１０の放射方向（図５中左右方向）に弾性変形可能である。したがって、脚３０を台１０に対して放射方向に弾性的に撓ませることができ、３本の脚３０相互の間隔を容易に広げたり狭めたりすることができる。その結果、脚３０への三角４０の取付作業等において、その作業性を向上することができる。また、脚３０の嵌合突部３１が割溝３２の存在により柔軟性及び弾力性を有するため、三角４０の取付時に脚３０に力を加えて脚３０相互の間隔を広げたときでも、その力を抜けば、脚３０が嵌合突部３１の弾性力により迅速に基に位置に復帰し、脚３０相互の間隔が迅速に元の位置に戻る。その結果、三角４０の脚３０への取付後において三角４０の脚３０からの脱落を効果的に防止することができ、その取付安定性を向上することができる。
【００２６】
[実施の形態２]
１．対応図面
図６は本発明の実施の形態２に係る提灯の台と柱との関係を示し、台を図２のＡ−Ａ線で切断して示す。図７は本発明の実施の形態２に係る提灯の台と柱との関係を示し、柱を図６の矢印Ｘ方向から見て示す。図８は本発明の実施の形態２に係る提灯の台と脚との関係を示し、台を図２のＢ−Ｂ線で切断して示す。図９は本発明の実施の形態２に係る提灯の台と脚との関係を示し、脚を図６の矢印Ｙ方向から見て示す。
【００２７】
２．実施の形態１との相違点
実施の形態２に係る提灯は、柱２０の嵌合突部１２１及び脚３０の嵌合突部１３１の構成において実施の形態１に係る提灯と異なる。それ以外の全体構成は実施の形態１と同様である。また、柱２０及び脚３０の構成は、嵌合突部１２１，１３１の構成を除いて、実施の形態１と同様である。
【００２８】
３．柱２０の嵌合突部１２１の構成
図６及び図７に示すように、実施の形態２の柱２０の嵌合突部１２１は、割溝１２２を形成する位置が実施の形態１の場合と異なり、それ以外の構成は、実施の形態１と同様である。具体的には、嵌合突部１２１は、台１０の上側凹部１５に対応する直方体状をなし、柱２０の下端から下方に延びるよう一体形成されている。また、割溝１２２は、台１０の略放射方向に沿って延びるよう、嵌合突部１２１の幅方向（図６中紙面と直行する方向及び図７の左右方向）の略中央に形成されている。前記割溝１２２は、嵌合突部１２１の厚さ方向全体にわたって延びるよう、嵌合突部１２１に形成される。また、割溝１２２は、嵌合突部１２１の高さと略同一高さまで、即ち、台１０の上側凹部１５の深さと略同一高さまで形成されている。柱２０の嵌合突部１２１を台１０の上側凹部１５内に上方から嵌め込んだとき、前記割溝１２２により、嵌合突部１２１は、台１０の上側凹部１５に対して台１０の周方向（図７中左右方向）に弾性変形可能であり、台１０の上側凹部１５に弾性的に嵌め込んで密嵌状態で固定することができる。なお、柱２０と嵌合突部１２１との境界面には、平坦面状の位置決め部１２３が、嵌合突部１２１から若干幅方向外側に張り出すよう形成されている。位置決め部１２３は、嵌合突部１２１を台１０の上側凹部１５に嵌め込むときに、嵌合突部１２１を上側凹部１５の所定深さ位置で正確に位置決めするためのものである。また、嵌合突部１２１の下端の幅方向の外周縁に面取り部を形成しても良い。
【００２９】
４．脚３０の嵌合突部１３１の構成
図８及び図９に示すように、実施の形態２の脚３０の嵌合突部１３１は、割溝１３２を形成する位置が実施の形態１の場合と異なり、それ以外の構成は、実施の形態１と同様である。具体的には、嵌合突部１３１は、台１０の下側凹部１６に対応する直方体状をなし、脚３０の上端から上方に延びるよう一体形成されている。また、割溝１３２は、台１０の略放射方向に沿って延びるよう、嵌合突部１３１の幅方向（図８中紙面と直行する方向及び図９の左右方向）の略中央に形成されている。前記割溝１３２は、嵌合突部１３１の厚さ方向全体にわたって延びるよう、嵌合突部１３１に形成される。また、割溝１３２は、嵌合突部１３１の高さと略同一高さまで、即ち、台１０の下側凹部１６の深さと略同一高さまで形成されている。脚３０の嵌合突部１３１を台１０の下側凹部１６内に上方から嵌め込んだとき、前記割溝１３２により、嵌合突部１３１は、台１０の下側凹部１６に対して台１０の周方向（図９中左右方向）に弾性変形可能であり、台１０の下側凹部１６に弾性的に嵌め込んで密嵌状態で固定することができる。なお、嵌合突部１３１の上端の厚さ方向の外周縁には面取り部１３３が形成されている。また、柱３０と嵌合突部１３１との境界面には、平坦面状の位置決め部１３４が、嵌合突部１３１から若干幅方向外側に張り出すよう形成されている。位置決め部１３３は、嵌合突部１３１を台１０の下側凹部１６に嵌め込むときに、嵌合突部１３１を下側凹部１６の所定深さ位置で正確に位置決めするためのものである。
【００３０】
６．作用及び効果
上記のように構成した実施の形態２に係る提灯は、嵌合突部１２１，１３１が、割溝１２２，１３２の存在により、その幅方向に弾性変形するため、実施の形態１に係る提灯と同様、柱２０及び脚３０を台１０に対して簡単かつ確実に安定して取り付けることができる。また、嵌合突部１２１，１３１が、それぞれ、割り溝１２２，１３２の幅の分だけ幅を調整（減少）可能であるため、実施の形態１と同様、嵌合突部２１，３１並びに台１０の上側凹部１５及び下側凹部１６の加工作業を従来例よりも簡単に行うことができ、その加工作業性を向上することができる。更に、実施の形態１と同様、嵌合突部１２１，１３１を台１０の上側凹部１５及び下側凹部１６に楽な力で嵌め込むことができるため、その取付作業性を向上することができる。
【００３１】
また、柱２０及び脚３０の取付後は、割溝１２２，１３２を有する嵌合突部１２１，１３１を介して、柱２０及び脚３０を台１０に対してその円周方向に撓ませることができる。その結果、火袋１の取付作業及び三角４０の取付作業等において、その作業性を向上することができる。
【００３２】
[実施の形態３]
１．対応図面
図１０は本発明の実施の形態３に係る提灯の台の上面側を示す。図１１は本発明の実施の形態３に係る提灯の台の下面側を示す。図１２は本発明の実施の形態３に係る提灯の台と柱との関係を示し、台を図１０のＣ−Ｃ線で切断して示す。図１３は本発明の実施の形態３に係る提灯の台と脚との関係を示し、台を図１０のＤ−Ｄ線で切断して示す。図１４は本発明の実施の形態３に係る提灯の台と脚との関係を示し、脚を図１３の矢印Ｚ方向から見て示す。
【００３３】
２．実施の形態１との相違点
実施の形態３に係る提灯は、台１０の上側凹部２１５及び下側凹部２１６並びに柱２０の嵌合突部２２１及び脚３０の嵌合突部２３１の構成において実施の形態１に係る提灯と異なる。また、台１０の中心孔１３と大径孔１４とは、台１０の軸方向に貫通する連通孔１３ａを介して互いに連通している。それ以外の全体構成は実施の形態１と同様である。また、台１０、柱２０及び脚３０の構成は、連通孔１３ａ、上側凹部２１５及び下側凹部２１６並びに嵌合突部２２１，２３１の周辺の構成を除いて、実施の形態１と同様である。
【００３４】
３．台１０の上側凹部２１５及び下側凹部２１６の構成
図１０及び図１２に示すように、台１０の上面の左右には、それぞれ、柱２０を上方に延びるよう略垂直に立てた状態で取り付けるための上側凹部２１５が形成されている。上側凹部２１５は、第１の上側凹部２１５ａ及び第２の上側凹部２１５ｂとから構成される。第１の上側凹部２１５ａは、台１０の上面から下方に延びる。また、第２の上側凹部２１５ｂは、第１の上側凹部２１５ａより小さい寸法で第１の上側凹部２１５ａに連続して更に下方に延びる。これにより、第１の上側凹部２１５ａと第２の上側凹部２１５ｂとの間（境界面）には、段差（第１の上側凹部２１５ａの底面）が形成される。
【００３５】
また、図１１及び図１３に示すように、台１０の下面の前側、右後側及び左後側には、それぞれ、脚３０を下方に延びるよう取り付けるための下側凹部２１６が形成されている。下側凹部２１６は、第１の下側凹部２１６ａ及び第２の下側凹部２１６ｂとから構成される。第１の下側凹部２１６ａは、台１０の下面から上方に延びる。また、第２の下側凹部２１６ｂは、第１の下側凹部２１６ａより小さい寸法で第１の下側凹部２１６ａに連続して更に上方に延びる。これにより、第１の下側凹部２１６ａと第２の下側凹部２１６ｂとの間（境界面）には、段差（第１の下側凹部２１６ａの底面）が形成される。
【００３６】
前記第１の上側凹部２１５ａ及び第１の下側凹部２１６ａは、共に、実施の形態１の上側凹部１５及び下側凹部１６の半分程度の深さ（高さ）を有する直方体状をなす。また、前記第２の上側凹部２１５ｂ及び第２の下側凹部２１６ｂは、共に、実施の形態１の上側凹部１５及び下側凹部１６の半分程度の深さ（長さ）を有する円柱状をなし、前記第１の上側凹部２１５ａ及び第１の下側凹部２１６ａの底面の略中央に直交するよう一体形成される底付凹部となっている。
【００３７】
４．柱２０の嵌合突部２２１の構成
図１１及び図１２に示すように、柱２０の嵌合突部２２１は、台１０の上側凹部２１５に対応する形状をなし、柱２０の下端から下方に延びるよう一体形成されている。具体的には、嵌合突部２２１は、第１の嵌合突部２２１ａ及び第２の嵌合突部２２１ｂとから構成される。第１の嵌合突部２２１ａは、柱２０の下端に一体形成され、台１０の第１の上側凹部２１５ａに対応する形状で下方に延びる。また、第２の嵌合突部２２１ｂは、第１の嵌合突部２２１ａの下端に一体形成される。第２の嵌合突部２２１ｂは、第１の嵌合突部２２１ａより小さい寸法で第１の嵌合突部２２１ａに連続して更に下方に延びる。これにより、第１の嵌合突部２２１ａと第２の嵌合突部２２１ｂとの間（境界面）には、段差（第１の嵌合突部２２１ａの底面）が形成される。
【００３８】
前記第１の嵌合突部２２１ａは、第１の上側凹部２１５ａと略同一の高さを有する直方体状をなす。また、前記第２の嵌合突部２２１ｂは、第２の上側凹部２１５ｂと略同一の高さを有する円柱状をなし、前記第１の嵌合凹部２２１ａの底面の略中央に直交するよう一体形成される。
【００３９】
柱２０の嵌合突部２２１を台１０の上側凹部２１５内に上方から嵌め込むと、第１の嵌合突部２２１ａが第１の上側凹部２１５ａ内に、第２の嵌合突部２２１ｂが第２の上側凹部２１５ｂ内に、それぞれ、密嵌状態で保持される。このとき、第２の嵌合突部２２１ｂを中心として、嵌合突部２２１が、台１０の上側凹部２１５に対して任意の方向（３６０度）に弾性変形可能となり、柱２０を任意の方向に弾性的に撓ませることができる。なお、柱２０と嵌合突部２２１との境界面には、平坦面状の位置決め部２２２が、嵌合突部２２１から若干幅方向外側に張り出すよう形成されている。位置決め部２２２は、嵌合突部２２１を台１０の上側凹部２１５に嵌め込むときに、嵌合突部２２１を上側凹部２１５の所定深さ位置で正確に位置決めするためのものである。また、第１の嵌合突部２２１ａの下端の幅方向の外周縁には面取り部２２３が形成されている。
【００４０】
５．脚３０の嵌合突部１３１の構成
図１３及び図１４に示すように、脚３０の嵌合突部２３１は、台１０の下側凹部２１６に対応する形状をなし、脚３０の上端から上方に延びるよう一体形成されている。具体的には、嵌合突部２３１は、第１の嵌合突部２３１ａ及び第２の嵌合突部２３１ｂとから構成される。第１の嵌合突部２３１ａは、脚３０の上端に一体形成され、台１０の第１の下側凹部２１６ａに対応する形状で下方に延びる。また、第２の嵌合突部２３１ｂは、第１の嵌合突部２３１ａの上端に一体形成される。第２の嵌合突部２３１ｂは、第１の嵌合突部２３１ａより小さい寸法で第１の嵌合突部２３１ａに連続して更に上方に延びる。これにより、第１の嵌合突部２１３ａと第２の嵌合突部２３１ｂとの間（境界面）には、段差（第１の嵌合突部２３１ａの底面）が形成される。
【００４１】
前記第１の嵌合突部２３１ａは、第１の下側凹部２１６ａと略同一の高さを有する直方体状をなす。また、前記第２の嵌合突部２３１ｂは、第２の下側凹部２１６ｂと略同一の高さを有する円柱状をなし、前記第１の嵌合凹部２３１ａの底面の略中央に直交するよう一体形成される。
【００４２】
脚３０の嵌合突部２３１を台１０の下側凹部２１６内に上方から嵌め込むと、第１の嵌合突部２３１ａが第１の下側凹部２１６ａ内に、第２の嵌合突部２３１ｂが第２の下側凹部２１６ｂ内に、それぞれ、密嵌状態で保持される。このとき、第２の嵌合突部２３１ｂを中心として、嵌合突部２３１が、台１０の下側凹部２１６に対して任意の方向（３６０度）に弾性変形可能となり、脚３０を任意の方向に弾性的に撓ませることができる。なお、脚３０と嵌合突部２３１との境界面には、平坦面状の位置決め部２３２が、嵌合突部２３１から若干幅方向外側に張り出すよう形成されている。位置決め部２３２は、嵌合突部２３１を台１０の下側凹部２１６に嵌め込むときに、嵌合突部２３１を下側凹部２１６の所定深さ位置で正確に位置決めするためのものである。また、第１の嵌合突部２３１ａの下端の幅方向の外周縁には面取り部２３３が形成されている。
【００４３】
６．作用及び効果
上記のように構成した実施の形態３に係る提灯は、台１０の上側凹部２１５及び下側凹部２１６をそれぞれ第１及び第２の上側凹部２１５ａ，２１５ｂ及び下側凹部２１６ａ，２１６ｂより構成し、嵌合突部２２１，２３１を第１及び第２の嵌合突部２２１ａ，２２１ｂ及び２３１ａ，２３１ｂより構成したため、実施の形態１に係る提灯と同様、柱２０及び脚３０を台１０に対して簡単かつ確実に安定して取り付けることができる。また、実施の形態１と同様、嵌合突部２２１，２３１を台１０の上側凹部２１５及び下側凹部２１６に楽な力で嵌め込むことができるため、その取付作業性を向上することができる。更に、柱２０及び脚３０の取付後は、嵌合突部２２１，２３１を介して、柱２０及び脚３０を台１０に対して任意の方向（３６０度）に撓ませることができる。その結果、火袋１の取付作業及び三角４０の取付作業等において、その作業性を向上することができる。
【００４４】
[実施の形態４]
図１５は本発明の実施の形態４に係る提灯の全体を示す。
実施の形態４は、脚１３０の構成が実施の形態１と異なる。その他の構成は実施の形態１と同様である。具体的には、実施の形態１の脚３０が、上端部分で略９０度湾曲しながら下方に延び、中央より下側の部分で外側に若干湾曲するのに対し、実施の形態４の脚１３０は、上端から略直線的に下方に延び、中央より下側の部分で外側に若干湾曲している。即ち、本発明は、上記嵌合突部３１，１３１，２３１の構成を、任意の形状の脚に具体化することができる。同様に、本発明は、上記嵌合突部２１，１２１，２２１の構成を、任意の形状の柱に具体化することができる。更に、本発明は、上記台１０の上側凹部１５，１１５，２１５及び下側凹部１６，１１６，２１６の構成を、任意の形状の台に具体化することができる。
【００４５】
[実施の形態５]
１．対応図面
図１６は本発明の実施の形態５に係る提灯の連結具としての三角台を示す。図１７は本発明の実施の形態５に係る提灯の脚を示す。図１８は本明の実施の形態５に係る提灯の脚の要部としての差込凹部及び案内凹部を示す。
【００４６】
２．実施の形態１〜３との相違点（脚３０の保持凹部４３４及び案内凹部４３５）
実施の形態５に係る提灯は、連結具としての三角４０を挿入保持する脚３０の保持凹部４３４周辺の構成において上記実施の形態１と異なる。それ以外の構成は、上記実施の形態１と同様である。具体的には、三角４０は、図１６に示すように、３本の棒状体を、その中央付近で連結することにより形成される。各棒状体は、先細となる断面長方形の棒状をなし、かつ、先端に向かって若干湾曲する。そして、三角４０は、３本の脚３０の上下方向中間部（内側面）に対向する位置に、それぞれ、突部４１を一体形成している。突部４１は、前記脚３０の中間部に向かってその内部に至るまで延びる長さを有し、かつ、上下に延びる長方形の断面形状を有している。
【００４７】
一方、図１７に示すように、各脚３０の上下方向中間部の内側面には、保持凹部４３４が形成されている。保持凹部４３４は、前記三角４０の突部４１に対応する形状をなし、突部４１を差し込んで保持自在である。保持凹部４３４の下端には、更に、案内凹部４３５が連続して下方に延びるよう形成される。図１８に示すように、案内凹部４３５は、下方に向かって深さが浅くなり、最終的に前記脚３０の内側面と面一になるまで傾斜する傾斜面状をなしている。案内凹部４３５の深さは、例えば、保持凹部４３４の深さの約３分の１〜４分の１程度とする。無論、案内凹部４３５をこれ以外の深さとしても良い。また、その傾斜角度も任意である。即ち、案内凹部４３５は、三角４０の突部４１を案内できる限りにおいて、任意の構成とすることができる。
【００４８】
３．作用及び効果
上記のように構成した実施の形態５に係る提灯は、実施の形態１に係る提灯と同様の作用及び効果に加え、脚３０の保持凹部４３４に三角４０の突部４１を容易かつ円滑に案内して挿入し、保持できるという効果がある。即ち、三角４０を脚３０に取り付ける場合、まず、三角４０の２つの突部４１を対応する２本の脚３０の保持凹部４３４にそれぞれ挿入して保持する。このとき、突部４１の先端を脚３０の案内凹部４３５の下端から上方に滑らせて案内することにより、突部４１を脚３０の保持凹部４３４内に容易かつ円滑に挿入することができる。次に、三角４０の残り１つの突部４１を、残りの１本の脚３０の保持凹部４３４に挿入して保持する。このとき、その１本の脚３０と残りの２本の脚３０との間隔を広げた状態で、残りの突部４１の先端をその脚３０の案内凹部４３５の下端から上方に滑らせて案内する。これにより、残りの突部４１を脚３０の保持凹部４３４内に容易かつ円滑に挿入することができる。また、突部４１の挿入時に必要となる脚３０相互の間隔は、案内凹部４３５の深さの分だけ小さくて済むため、脚３０に加わる付加（応力）を小さくすることもできる。更に、このとき、脚３０の案内凹部４３５の幅方向両側面が、突部４１の幅方向両側面を位置決めして案内するため、残りの突部４１を脚３０の保持凹部４３４内により一層容易かつ円滑に挿入することができる。
【００４９】
実施の形態５は、特に、実施の形態１または実施の形態３と組合わせて使用すると、その効果が倍増される。即ち、実施の形態１及び実施の形態３では、脚３０相互の間隔を弾性的に広げることができるため、その弾性力により、三角４０の突部４１を常に脚３０の案内凹部４３５の傾斜面に密接させた状態で滑らせて移動することができる。その結果、突部４１を脚３０の保持凹部４３４内により一層容易かつ円滑に挿入することができる。しかし、無論、実施の形態５の構成は、実施の形態１〜４のいずれと組合わせても良い。
【００５０】
[変更例]
１．材料及び加工方法
上記各実施の形態では、前記台１０、柱２０、脚３０，３３０は、木質材料より形成される。そして、切削等、通常の木材の加工方法により、これらに、前記上側凹部１５，２１５、下側凹部１６，２１６、嵌合突部２１，３１，１２１，１３１，２２１，２３１、保持凹部４３４及び案内凹部４３５を一体形成する。しかし、台１０、柱２０、脚３０，３３０の少なくともいずれかを、プラスチック材料、複合材料など、その他の材料により一体形成しても良い。なお、加工性及び強度等の点からは、嵌合突部２１等は柱２０等に一体形成することが好ましいが、無論、別体として設けてもよい。
【００５１】
２．台の上側凹部及び下側凹部並びに柱及び脚の嵌合突部の構成
台の上側凹部及び下側凹部並びに柱及び脚の嵌合突部は、柱及び脚の周方向への回転を阻止する水平断面形状を有する限りにおいて、任意の形状とすることができる。即ち、上記実施の形態のように、これらを直方体状とする以外に、三角形状、五画形状、六角形状等、その他の角形状の水平断面形状としたり、楕円形の水平断面形状としたりすることもできる。また、実施の形態３における第２の嵌合突部３２１ｂ、３３１ｂは、円柱状とする以外にも、上記のように柱２０及び脚３０の撓みを可能にすべく、所定の弾性及び可撓性を有する限りにおいて、他の任意の形状とすることができる。
【００５２】
また、台１０の上側凹部１５，２１５及び下側凹部１６，２１６は、底突き凹部とすることなく、貫通孔としてもよい。即ち、台１０の上側凹部１５，２１５及び下側凹部１６，２１６は、台１０の上下で干渉しない位置に設ければ任意の構成とすることができる。更に、柱及び脚の数は、上記のように、それぞれ２本及び３本とする以外にも、任意の数とすることができる。また、例えば、脚を４本とした場合、連結具は、通常、対応する四角形状となる。即ち、連結具の構成も上記の三角４０に限られるものではない。更に、台の形状は、円板状以外の板状とすることができ、例えば、角板状とすることも可能である。
【００５３】
３．割り溝の位置及び方向
また、嵌合突部２１，３１，１２１，１３１に形成する割溝２２，３２，１２２，１３２の方向も、嵌合突部２１，３１，１２１，１３１の幅方向または厚さ方向とする以外に、他の任意の方向とすることができる。また、実施の形態３に係る第２の嵌合突部３２１ｂ，３３１ｂに同様の割り溝を形成しても良い。或いは、実施の形態３に係る第１の嵌合突部３２１ａ，３２１ｂ及び第２の嵌合突部３２１ｂ，３３１ｂの両方に割り溝を連続して形成してもよい。この場合、実施の形態３の効果に加えて、実施の形態１または２と同様、嵌合突部３２１，３３１を台１０の上側凹部３１５及び下側凹部３１６に弾性的に挿入できるという効果が得られる。
【００５４】
[実施の形態６]
１．対応図面
図１９は本発明の実施の形態６に係る提灯の台の上面側を示す。図２０は本発明の実施の形態６に係る提灯の台の下面側を示す。図２１は本発明の実施の形態６に係る提灯の台と柱との関係を示し、台を図１９のＥ−Ｅ線で切断して示す。図２２は本発明の実施の形態６に係る提灯の台と脚との関係を示し、台を図１９のＦ−Ｆ線で切断して示す。図２３は本発明の実施の形態６に係る提灯の締結手段を拡大して示す。
【００５５】
２．実施の形態６の特徴的構成
実施の形態６に係る提灯は、台１０に対する柱２０及び脚３０の取付構造が上記実施の形態３に係る提灯と異なる。その他の構成は、基本的に、上記実施の形態３と同様である。詳細には、実施の形態６に係る提灯では、図１９及び図２１に示すように、台１０における柱２０の取付位置（台１０の上面の左右）に、それぞれ、実施の形態３の第１の上側凹部２１５ａと同様の構成の上側凹部５１５ａが形成されている。上側凹部５１５ａは、台１０の上面から下方へと前記台１０の厚さ方向の途中まで延びる。また、上側凹部５１５ａは、略正方形の水平断面形状を有する略直方体形状をなしている。更に、台１０における柱２０の取付位置には、前記上側凹部５１５ａより小さい平面方向の寸法で前記上側凹部５１５ａに連続して下方に延びる貫通孔５１５ｂが形成されている。貫通孔５１５ｂは、上側凹部５１５ａの底面略中央から略鉛直方向に延びる円柱状をなし、台１０の下面側に露出する位置まで台１０の厚さ方向に貫通して延びている。具体的には、台１０の下面側には、貫通孔５１５ｂの下端に連続して収容凹部５１５ｃが形成され、貫通孔５１５ｂが、収容凹部５１５ｃの底面（上面）を介して台１０の下面側に露出している。収容凹部５１５ｃは、略円形の水平断面形状を有する略円柱状をなしている。貫通孔５１５ｂの下端は、収容凹部５１５ｃの底面略中央から開口している。ここで、上側凹部５１５ａと貫通孔５１５ｂとの間（境界面）には、段差（上側凹部５１５ａの平坦状の底面）が形成される。また、収容凹部５１５ｃと貫通孔５１５ｂとの間（境界面）にも、段差（収容凹部５１５ｃの平坦リング状の底面）が形成される。
【００５６】
台１０の上面の所定位置には、支持凹部５１１が形成されている。支持凹部５１１は、ボックスレンチ状またはソケットレンチのソケット状をなすレンチ部材５１７を収容して支持するためのものである。レンチ部材５１７は、図２３に示すように、大径の把持部５１７ａと、小径のレンチ部５１７ｂより構成される。把持部５１７ａは底付きの短い略円筒形状をなし、その外周に所定間隔で凹部５１７ｃを形成し、使用者による把持部５１７ａの把持を容易にしている。レンチ部５１７ｂは、把持部５１７ａの底面に、その中央から軸心方向に突出するよう一体形成された略円筒状をなす。レンチ部５１７ｂの内部には、その軸心方向に沿って、水平断面を略正六角形状とした略六角柱状のレンチ孔５１７ｄが形成されている。また、レンチ部５１７ｂの外径は台１０の支持凹部５１１の直径と略同一であり、レンチ部５１７ｂを台１０の支持凹部５１１に略密接して収容することにより、レンチ部材５１７を台１０の所定位置に保持できるようになっている。なお、図１９は、レンチ部材５１７を台１０の支持孔５１６から取り外し、裏返した状態を示す。
【００５７】
前記台１０の収容凹部５１５ｃ内には、雌螺子５１８が収容して配置されている。雌螺子５１８は、フランジ付または丸つば付の袋ナット（六角ナットの一種）より構成される。具体的には、雌螺子５１８は、袋ナット５１８ａの開放側端面（螺子孔の開口側端面）の外周縁全体から略リング板状のフランジ５１８ｂを外方に張出形成した形状をなす。雌螺子５１８は、フランジ５１８ｂを上側にした状態で、台１０の収容凹部５１５ｃ内に収容される。また、台１０の収容凹部５１５ｃの下端外周縁全体に沿って、抜止リング５１９が一体的に固着されている。抜止リング５１９は、収容部５１９ａと抜止部５１９ｂとより構成される。収容部５１９ａは、台１０の収容凹部５１５ｃの内周面の略全体に密接して収容保持される略円筒状をなす。抜止部５１９ｂは、収容部５１９ａの下端の周縁から内方に略直交して突出する略リング状または略フランジ状をなす。
【００５８】
雌螺子５１８のフランジ５１８ｂの外径は、収容凹部５１５ｃ内に固着した抜止リング５１９の収容部５１９ａ内を上下方向に移動できるよう、収容部５１９ａの内径より若干小さい寸法に設定される。また、抜止リング５１９の抜止部５１９ｂの内径は、雌螺子５１８のフランジ５１８ｂの外径より小さく、かつ、袋ナット５１８ａの外径より大きい寸法に設定される。これにより、収容凹部５１５ｃが下側となるよう台１０を水平状態に配置した場合でも、図２１中に二点鎖線で示すように、フランジ５１８ｂの外周縁部が抜止部５１９ｂにより掛止され、雌螺子５１８が台１０の収容凹部５１５ｃから抜け落ちることがない。一方、レンチ部材５１７のレンチ部５１７ｂの外径は、抜止部５１９ｂの内径より小さい寸法に設定される。また、レンチ部５１７ｂのレンチ孔５１７ｄの内径は、雌螺子５１８の袋ナット５１８ａの外径に対応して設定され、レンチ部５１７ｂのレンチ孔５１７ｄを袋ナット５１８ａに略密接状態で嵌合自在となっている。これにより、レンチ部５１７ｂを台１０の収容凹部５１５ｃに挿入して、そのレンチ孔５１７ｄを雌螺子５１８の袋ナット５１８ａに嵌合し、レンチ部材５１７により雌螺子５１８を正逆方向に回転することができる。
【００５９】
前記柱２０の下端には嵌合突部５２１ａが一体形成される。嵌合突部５２１ａは、台１０の上側凹部５１５ａに対応する形状で下方に延び、台１０の上側凹部５１５ａに密接して嵌め込み自在である。具体的には、嵌合突部５２１ａは、実施の形態３の第１の嵌合突部２２１ａと同様の形状である。更に、柱２０の嵌合突部５２１ａの下端には、雄螺子５２１ｂが一体的に固着されている。雄螺子５２１ｂは、嵌合突部５２１ａより小さい平面方向の寸法で、かつ、台１０の貫通孔５１５ｂより長い寸法で下方に延びている。これにより、嵌合突部５２１ａと雄螺子５２１ｂとの間（境界面）には、段差（嵌合突部５２１ａの平坦状の下端面）が形成される。嵌合突部５２１ａは、上側凹部５１５ａと略同一の高さ及び外形を有する直方体状をなす。また、雄螺子５２１ｂは、貫通孔５１５ｂと略同一直径を有し、前記嵌合凹部５２１ａの下端面の略中央に直交するよう一体的に固着される。
【００６０】
そして、柱２０の嵌合突部５２１ａを台１０の上側凹部５１５ａ内に嵌め込むと共に、柱２０の雄螺子５２１ｂを台１０の貫通孔５１５ｂに挿入し、台１０の貫通孔５１５ｂより露出した雄螺子５２１ｂの下端部に雌螺子５１８を螺合することにより、台１０の上面側に柱２０を取り付ける。詳細には、まず、上側凹部５１５ａを上側にして台１０を略水平状態に維持する。このとき、雌螺子５１８は、図２１中二点鎖線で示すように、フランジ５１８ｂが抜止リング５１９に掛止され、台１０の収容凹部５１５ｃの下端側に位置する。この状態で、柱２０の嵌合突部５２１を台１０の上側凹部５１５内に上方から嵌め込むと、嵌合突部５２１ａが上側凹部５１５ａ内に密嵌状態で保持される。また、雄螺子５２１ｂが貫通孔５１５ｂ内に挿通され、雄螺子５２１ｂの先端部が収容凹部５１５ｃの底面から下方に所定長さ露出する。
【００６１】
ここで、本実施の形態では、台１０の収容凹部５１５ｃ内で雄螺子５２１に袋ナット５１８ａを螺合する。よって、雄螺子５２１ｂの長さは、貫通孔５１５ｂへの挿通時にその先端が台１０の収容凹部５１５ｃの途中まで、好ましくは、収容凹部５１５ｃの深さの半分程度まで延びる長さとする。その後、レンチ部材５１７のレンチ部５１７ｂのレンチ孔５１７ｄを雌螺子５１８の袋ナット５１８ａの外側に嵌め込み、レンチ部材５１７により雌螺子５１８を回転して、袋ナット５１８ａに雄螺子５２１ｂを螺入していく。そして、雌螺子５１８が雄螺子５２１ｂの基端側に移動して、柱２０が雄螺子５２１ｂ及び雌螺子５１８の螺合及び締結により台１０の上面に立設状態で固定される。
【００６２】
なお、柱２０と嵌合突部５２１との境界面には、実施の形態３と同様、平坦面状の位置決め部５２２が、嵌合突部５２１から若干幅方向外側に張り出すよう形成されている。位置決め部５２２は、嵌合突部５２１を台１０の上側凹部５１５に嵌め込むときに、嵌合突部５２１を上側凹部５１５の所定深さ位置で正確に位置決めするためのものである。また、実施の形態３と同様、嵌合突部５２１ａの下端の幅方向の外周縁には面取り部５２３が形成されている。
【００６３】
一方、図２０及び図２２に示すように、台１０における脚３０の取付位置には、それぞれ、実施の形態３の第１の下側凹部２１６ａと同様の構成の下側凹部５１６ａが形成されている。下側凹部５１６ａは、台１０の下面から上方へと前記台１０の厚さ方向の途中まで延びる。また、下側凹部５１６ａは、略正方形の水平断面形状を有する略直方体形状をなしている。更に、台１０における脚３０の取付位置には、前記下側凹部５１６ａより小さい平面方向の寸法で前記下側凹部５１６ａに連続して上方に延びる貫通孔５１６ｂが形成されている。貫通孔５１６ｂは、下側凹部５１６ａの底面略中央から略鉛直方向に延びる円柱状をなし、台１０の上面側に露出する位置まで台１０の厚さ方向に貫通して延びている。具体的には、台１０の上面側には、貫通孔５１６ｂの上端に連続して、前記収容凹部５１５ｃと同様の構成の収容凹部５１６ｃが形成され、貫通孔５１６ｂが、収容凹部５１６ｃの底面（下面）を介して台１０の上面側に露出している。貫通孔５１６ｂの上端は、この収容凹部５１６ｃの底面略中央から開口している。ここで、下側凹部５１６ａと貫通孔５１６ｂとの間（境界面）には、段差（下側凹部５１６ａの平坦状の底面）が形成される。また、収容凹部５１６ｃと貫通孔５１６ｂとの間（境界面）にも、段差（収容凹部５１６ｃの平坦リング状の底面）が形成される。
【００６４】
前記台１０の収容凹部５１５ｃ内には、前記雌螺子５１８が収容して配置されている。雌螺子５１８は、フランジ５１８ｂを下側にした状態で、台１０の収容凹部５１６ｃ内に収容される。また、台１０の収容凹部５１６ｃの下端外周縁全体に沿って、前記抜止リング５１９が一体的に固着されている。即ち、抜止リング５１９の収容部５１９ａが、台１０の収容凹部５１５ｃの内周面の略全体に密接して収容保持され、抜止部５１９ｂが収容部５１９ａの上端の周縁から内方に略直交して突出する。また、雌螺子５１８は、収容凹部５２６ｃ内に固着した抜止リング５１９の収容部５１９ａ内を上下方向に移動自在である。そして、廉恥部材５１７のレンチ部５１７ｂを台１０の収容凹部５１６ｃに挿入して、そのレンチ孔５１７ｄを雌螺子５１８の袋ナット５１８ａに嵌合し、レンチ部材５１７により雌螺子５１８を正逆方向に回転することができる。
【００６５】
前記脚３０の上端には嵌合突部５３１ａが一体形成される。嵌合突部５３１は、台１０の下側凹部５１６ａに対応する形状で上方に延び、台１０の下側凹部５１６ａに密接して嵌め込み自在である。具体的には、嵌合突部５３１ａは、実施の形態３の第１の嵌合突部２３１ａと同様の形状である。更に、脚３０の嵌合突部５３１ａの下端には、前記雄螺子５２１ｂが一体的に固着されている。雄螺子５２１ｂは、嵌合突部５３１ａより小さい平面方向の寸法で、かつ、台１０の貫通孔５１６ｂより長い寸法で下方に延びている。これにより、嵌合突部５３１ａと雄螺子５２１ｂとの間（境界面）には、段差（嵌合突部５３１ａの平坦状の上端面）が形成される。嵌合突部５３１ａは、下側凹部５１６ａと略同一の高さ及び外形を有する直方体状をなす。また、雄螺子５２１ｂは、貫通孔５１６ｂと略同一直径を有し、前記嵌合凹部５３１ａの上端面の略中央に直交するよう一体的に固着される。
【００６６】
そして、脚３０の嵌合突部５３１ａを台１０の下側凹部５１６ａ内に嵌め込むと共に、脚３０の雄螺子５２１ｂを台１０の貫通孔５１６ｂに挿入し、台１０の貫通孔５１６ｂより露出した雄螺子５２１ｂの上端部に雌螺子５１８を螺合することにより、台１０の下面側に脚３０を取り付ける。詳細には、まず、下側凹部５１６ａを下側にして台１０を略水平状態に維持する。この状態で、脚３０の嵌合突部５３１を台１０の下側凹部５１６内に下方から嵌め込むと、嵌合突部５３１ａが下側凹部５１６ａ内に密嵌状態で保持される。また、雄螺子５２１ｂが貫通孔５１６ｂ内に挿通され、雄螺子５２１ｂの先端部が収容凹部５１６ｃの底面から上方に所定長さ露出する。
【００６７】
ここで、雄螺子５２１ｂは、貫通孔５１５６への挿通時にその先端が台１０の収容凹部５１５ｃの途中まで、好ましくは、収容凹部５１５ｃの深さの半分程度まで延びる長さとなる。その後、レンチ部材５１７により雌螺子５１８を回転して、袋ナット５１７に雄螺子５２１ｂを螺入していくと、雌螺子５１８が雄螺子５２１ｂの基端側に移動して、脚３０が雄螺子５２１ｂ及び雌螺子５１８の螺合及び締結により台１０の下面に立設状態で固定される。なお、脚３０と嵌合突部５３１ａとの境界面には、実施の形態３と同様、平坦面状の位置決め部５３２が形成されている。また、実施の形態３と同様、嵌合突部５３１ａの下端の幅方向の外周縁には面取り部５３３が形成されている。
【００６８】
なお、前記柱２０取付用の上側凹部５１５ａ、貫通孔５１５ｂ及び収容凹部５１５ｃと、脚３０取付用の下側凹部５１６ａ、貫通孔５１６ｂ及び収容凹部５１６ｃとは、台１０において互いに干渉しない位置に形成される。また、支持凹部５１１も、これらと干渉しない位置に形成される。
【００６９】
３．作用及び効果
上記のように構成した実施の形態６に係る提灯は、実施の形態１〜３に係る提灯と同様、柱２０及び脚３０を台１０に対して簡単かつ確実に安定して取り付けることができる。このとき、雄螺子５２１ｂ及び雌螺子５１８の螺合により、柱２０及び脚３０を台１０に対してより強固に、かつ、安定して取り付けることができる。また、実施の形態１〜３と同様、嵌合突部５２１ａ，５３１ａを台１０の上側凹部５１５ａ及び下側凹部５１６ａに楽な力で嵌め込むことができるため、その取付作業性を向上することができる。更に、柱２０及び脚３０の取付後は、実施の形態３と同様、嵌合突部５２１ａ，５３１ａを介して、雄螺子５２１ｂを中心として、柱２０及び脚３０を台１０に対して任意の方向（３６０度）に撓ませることができる。その結果、火袋１の取付作業及び三角４０の取付作業等において、その作業性を向上することができる。加えて、収容凹部５１５ｃ，５１６ｃからの雌螺子５１８の脱落を、抜止リング５１９により防止することができ、雄螺子５２１ｂ及び雌螺子５１８の螺合作業を容易に行うことができる。また、雄螺子５２１ｂ及び雌螺子５１８の螺合作業を行えるレンチ部材５１７を台１０に装備するため、別個のレンチ等の道具を用意する必要がなく、柱２０及び脚３０の取付作業を迅速かつ簡便に行うことができる。
【００７０】
４．変更例
なお、実施の形態６では、上側凹部５１５ａまたは下側凹部５１６ａの水平断面形状は、柱２０または脚３０の周方向の回転を阻止する限りにおいて、任意の形状とすることができ、上記略正方形以外にも、例えば、三角形としたり、五角形以上の多角形としたり、楕円形状としたり、それらを組合わせた形状としたりすることができる。即ち、上側凹部５１５ａまたは下側凹部５１６ａの水平断面形状は、正円形以外の形状であれば、柱２０または脚３０の周方向の回転を阻止することができる。また、この場合、上側凹部５１５ａまたは下側凹部５１６ａは、その水平断面形状を同一としたまま台１０の厚さ方向に延びる全体形状を有するよう形成してもよく、或いは、その水平断面形状が先細のテーパ状となるよう形成することもできる。
【００７１】
更に、上側凹部５１５ａ、貫通孔５１５ｂ及び収容凹部５１５ｃの寸法、並びに、下側凹部５１６ａ、貫通孔５１６ｂ及び収容凹部５１６ｃの寸法は、それぞれ、雄螺子５２１ｂに雌螺子５１８を螺合して、柱２０及び脚３０を台１０に固定できる限りにおいて、任意の形状とすることができる。また、上側凹部５１５ａ及び下側凹部５１６ａの深さは、共に、実施の形態３の上側凹部２１５ａ及び下側凹部２１６ａと同程度の深さ（高さ）、例えば、台１０の厚さの約３分の１程度とすることができる。また、前記柱２０取付用の貫通孔５１５ｂ及び脚３０取付用の貫通孔５１６ｂは、共に、実施の形態３の第２の上側凹部２１５ｂ及び第２の下側凹部２１６ｂと同程度の深さ（長さ）、例えば、台１０の厚さの約３分の１程度とすることができる。この場合、柱２０取付用の収容凹部５１５ｃ及び脚３０取付用の収容凹部５１６ｃは、台１０の厚さの約３分の１程度となる。
【００７２】
また、実施の形態１〜５と同様、前記柱２０及び脚３０は、木質材料、プラスチック材料、複合材料（木質材料とプラスチック材料の複合材料等）、金属材料等より形成される。また、雄螺子５２１ｂは、通常、金属材料より別体として形成され、その基端を嵌合突部５２１ａ，５３１ａに埋設して固定される。しかし、雄螺子５２１ｂを金属材料以外の材料、例えば、プラスチック材料や複合材料より形成してもよい。或いは、柱２０及び脚３０をプラスチック材料等の一体成形が可能な材料により形成した場合、その成形時に雄螺子５２１ｂを同様の材料により一体成形することもできる。なお、加工性及び強度等の点からは、嵌合突部５２１ａ等は柱２０等に一体形成することが好ましいが、無論、別体として設けてもよい。
【００７３】
更に、柱２０に嵌合突部５２１ａを設けることなく、柱２０の下端部を台１０の上側凹部５１５ａに直接差し込む構成としてもよい。この場合、台１０の上側凹部５１５ａは、柱２０の下端部に対応する形状とし、柱２０の下端に雄螺子５２１ｂを一体的に固定する。同様に、脚３０の上端部を台１０の下側凹部５１６ａに直接差し込む構成とし、脚３０の上端に雄螺子５２１ｂを固定してもよい。また、台１０に収容凹部５１５ｃ，５１６ｃを形成することなく、貫通孔５１５ｂ，５１６ｂを台１０の下面及び上面まで貫通形成してもよい。更に、台１０において貫通孔５１５ｂ，５１６ｂに対応する部分を外方に台状に突出形成させ、貫通孔５１５ｂ，５１６ｂをその下面及び上面まで貫通形成してもよい。この場合、雄螺子５２１ｂは、貫通孔５１５ｂ，５１６ｂに挿通したときに、台１０の下面及び上面から所定量下方及び上方に突出する長さとする。そして、雄螺子５２１ｂの突出部分（先端部）に雌螺子５１８を螺合する。また、雌螺子５１８としては、つば付き袋ナット状のもの以外に、蝶螺子状のものを使用したり、その他の雌螺子を使用したりしてもよい。更に、台１０に支持凹部５１１を設けてレンチ部材５１７を装着することなく、別個のレンチ等の工具により雌螺子５１８を雄螺子５２１ｂに締結することもできる。
【図面の簡単な説明】
【００７４】
【図１】図１は本発明の実施の形態１に係る提灯の全体を示す正面図である。
【図２】図２は本発明の実施の形態１に係る提灯の台の上面側を示す平面図である。
【図３】図３は本発明の実施の形態１に係る提灯の台の下面側を示す平面図である。
【図４】図４は本発明の実施の形態１に係る提灯の台と柱との関係を示す説明図であり、台を図２のＡ−Ａ線で切断して示す。
【図５】図５は本発明の実施の形態１に係る提灯の台と脚との関係を示す説明図であり、台を図２のＢ−Ｂ線で切断して示す。
【図６】図６は本発明の実施の形態２に係る提灯の台と柱との関係を示す説明図であり、台を図２のＡ−Ａ線で切断して示す。
【図７】図７は本発明の実施の形態２に係る提灯の台と柱との関係を示す説明図であり、柱を図６の矢印Ｘ方向から見て示す。
【図８】図８は本発明の実施の形態２に係る提灯の台と脚との関係を示す説明図であり、台を図２のＢ−Ｂ線で切断して示す。
【図９】図９は本発明の実施の形態２に係る提灯の台と脚との関係を示す説明図であり、脚を図６の矢印Ｙ方向から見て示す。
【図１０】図１０は本発明の実施の形態３に係る提灯の台の上面側を示す平面図である。
【図１１】図１１は本発明の実施の形態３に係る提灯の台の下面側を示す平面図である。
【図１２】図１２は本発明の実施の形態３に係る提灯の台と柱との関係を示す説明図であり、台を図１０のＣ−Ｃ線で切断して示す。
【図１３】図１３は本発明の実施の形態３に係る提灯の台と脚との関係を示す説明図であり、台を図１０のＤ−Ｄ線で切断して示す。
【図１４】図１４は本発明の実施の形態３に係る提灯の台と脚との関係を示す説明図であり、脚を図１３の矢印Ｚ方向から見て示す。
【図１５】図１５は本発明の実施の形態４に係る提灯の全体を示す正面図である。
【図１６】図１６は本発明の実施の形態５に係る提灯の連結具としての三角台を示す平面図である。
【図１７】図１７は本発明の実施の形態５に係る提灯の脚を示す側面図である。
【図１８】図１８は本明の実施の形態５に係る提灯の脚の要部としての差込凹部及び案内凹部を示す斜視図である。
【図１９】図１９は本発明の実施の形態６に係る提灯の台の上面側を示す平面図である。
【図２０】図２０は本発明の実施の形態６に係る提灯の台の下面側を示す平面図である。
【図２１】図２１は本発明の実施の形態６に係る提灯の台と柱との関係を示す説明図であり、台を図１９のＥ−Ｅ線で切断して示す。
【図２２】図２２は本発明の実施の形態６に係る提灯の台と脚との関係を示す説明図であり、台を図１９のＦ−Ｆ線で切断して示す。
【図２３】図２３は本発明の実施の形態６に係る提灯のレンチ部材、雌螺子、抜止リング等の構成を拡大して示す要部断面図である。
【符号の説明】
【００７５】
１０：台、１５，２１５：上側凹部、１６，２１６：下側凹部
２０：柱、２１，１２１，２２１：嵌合突部、２２，１２２：割溝
３０，３３０：脚、３１，１３１，２３１：嵌合突部、３２，１３２：割溝
４０：三角（連結具）、４１：突部
４３４：保持凹部、４３５：案内凹部
５１５ａ：上側凹部（凹部）、５１５ｂ：貫通孔
５１６ａ：下側凹部（凹部）、５１６ｂ：貫通孔
５２１ａ：嵌合突部（突部）、５２１ｂ：雄螺子、５３１ａ：嵌合突部（突部）
【図１】
2005327749.tif 000003
【図２】
2005327749.tif 000004
【図３】
2005327749.tif 000005
【図４】
2005327749.tif 000006
【図５】
2005327749.tif 000007
【図６】
2005327749.tif 000008
【図７】
2005327749.tif 000009
【図８】
2005327749.tif 000010
【図９】
2005327749.tif 000011
【図１０】
2005327749.tif 000012
【図１１】
2005327749.tif 000013
【図１２】
2005327749.tif 000014
【図１３】
2005327749.tif 000015
【図１４】
2005327749.tif 000016
【図１５】
2005327749.tif 000017
【図１６】
2005327749.tif 000018
【図１７】
2005327749.tif 000019
【図１８】
2005327749.tif 000020
【図１９】
2005327749.tif 000021
【図２０】
2005327749.tif 000022
【図２１】
2005327749.tif 000023
【図２２】
2005327749.tif 000024
【図２３】
2005327749.tif 000025